(57)【要約】【課題】径小脚部材を径大脚部材に対し所要長さ伸縮させた位置で、固定ピンを径大脚部材のピン挿通孔から径小脚部材の所要のピン挿通孔に簡単容易に挿通させることができる伸縮脚を提供する。【解決手段】外周面に凹溝８を形成した円筒状の径小脚部材５と、径小脚部材５にスライド自在に外嵌される円筒状の径大脚部材６と、径小脚部材５を径大脚部材６に固定するための固定ピン７とからなる伸縮脚２であり、径大脚部材６の一端部に直径方向に貫通するピン挿通孔９を設け、径小脚部材５には凹溝８から直径方向に貫通するピン挿通孔１０を複数個設け、径小脚部材５を径大脚部材６に対し伸縮させる時に、固定ピン７の先端部を径大脚部材６のピン挿通孔９から一旦凹溝８に突入させて凹溝８沿いにスライド案内させながら、固定ピン７を径小脚部材５の所要のピン挿通孔１０に挿入するようにした。【選択図】図５
2006241675.tif 000002
【特許請求の範囲】
【請求項１】
外周面の一側部に凹溝を全長に亘って形成した円筒状又は円柱状の径小脚部材と、この径小脚部材にスライド自在に外嵌される円筒状の径大脚部材と、径小脚部材を径大脚部材に対し所要長さ伸縮させた位置で径大脚部材に固定するための固定ピンとからなる伸縮脚であって、
径大脚部材には一端部に直径方向に貫通するピン挿通孔を設け、径小脚部材には凹溝から直径方向に貫通するピン挿通孔を軸方向に一定ピッチで複数個設け、径小脚部材を径大脚部材に対し伸縮させる時に、固定ピンの先端部を径大脚部材のピン挿通孔から一旦凹溝に突入させて凹溝沿いにスライド案内させながら、この固定ピンを径小脚部材の所要のピン挿通孔に挿入するようにした伸縮脚。
【請求項２】
固定ピンは、径大脚部材の直径よりも長いピン本体と、このピン本体の先端部に屈折自在に連結され、先端部が径小脚部材の凹溝に対応する形状に形成されたストッパーピンとからなるもので、ピン本体を径大脚部材のピン挿通孔と径小脚部材のピン挿通孔とに亘って挿入し、ストッパーピンをピン本体に対し屈折させて、径大脚部材の側面に添わせるようにした請求項１に記載の伸縮脚。
【請求項３】
ピン本体には、これを径大脚部材のピン挿通孔と径小脚部材のピン挿通孔とに亘って挿入し、ストッパーピンをピン本体に対し屈折させて径大脚部材の側面に添わせた状態で、ピン本体を挿入方向と反対側に付勢して、ストッパーピンを径大脚部材の側面に押し付けるようするためのコイルバネを嵌装してなる請求項２に記載の伸縮脚。
【請求項４】
径大脚部材の一端部に筒状補強部材を外嵌固定すると共に、この筒状補強部材に、径大脚部材側のピン挿通孔と合致するピン挿通孔を設けてなる請求項１〜３の何れかに記載の伸縮脚。
【発明の詳細な説明】
【技術分野】
【０００１】
本発明は、三点支持構造からなる三脚脚立の棒状伸縮脚体、あるいは移動式足場におけるアウトリガーの伸縮脚体などに使用される伸縮脚に関するものである。
【背景技術】
【０００２】
従来の伸縮脚として、特許公報等の公知文献を具体的に挙げることはできないが、従来より使用されている伸縮脚は、円筒状の径小脚部材と、この円筒状径小脚部材にスライド自在に外嵌される円筒状の径大脚部材と、径小脚部材を径大脚部材に対し所要長さ伸縮した位置で径小脚部材を径大脚部材に固定するための固定ピンとからなり、径大脚部材の一端部の一端部に直径方向に貫通するピン挿通孔を設け、径小脚部材には直径方向に貫通するピン挿通孔を軸方向に一定ピッチで複数個設け、しかして径大脚部材のピン挿通孔から径小脚部材のピン挿通孔に固定ピンを挿通させることにより、径小脚部材を径大脚部材に対し所要長さ伸縮させた位置に固定するようにしている。
【発明の開示】
【発明が解決しようとする課題】
【０００３】
従来の伸縮脚にあっては、夫々円筒状の径小脚部材と径大脚部材とが互いに回転し合うため、径小脚部材を径大脚部材に対し所要長さ伸縮させた位置で、固定ピンを径大脚部材のピン挿通孔から径小脚部材の所要のピン挿通孔に固定ピンを挿通させるのに手間がかかっていた。そこで、本発明は、径小脚部材と径大脚部材とを互いに回転させることなく、径小脚部材を径大脚部材に対し所要長さ伸縮させた位置で、固定ピンを径大脚部材のピン挿通孔から径小脚部材の所要のピン挿通孔に簡単容易に挿通させることができるようにした伸縮脚を提供することを目的とする。
【課題を解決するための手段】
【０００４】
上記課題を解決するための手段を、後述する実施形態の参照符号を付して説明すると、請求項１に係る発明は、外周面の一側部に凹溝８を全長に亘って形成した円筒状又は円柱状の径小脚部材５と、この径小脚部材５にスライド自在に外嵌される円筒状の径大脚部材６と、径小脚部材５を径大脚部材６に対し所要長さ伸縮させた位置で径大脚部材６に固定するための固定ピン７とからなる伸縮脚２であって、
径大脚部材６には一端部に直径方向に貫通するピン挿通孔９を設け、径小脚部材５には凹溝８から直径方向に貫通するピン挿通孔１０を軸方向に一定ピッチで複数個設け、径小脚部材５を径大脚部材６に対し伸縮させる時に、固定ピン７の先端部を径大脚部材６のピン挿通孔９から一旦凹溝８に突入させて凹溝８沿いにスライド案内させながら、この固定ピン７を径小脚部材５の所要のピン挿通孔１０に挿入するようにしたことを特徴としている。
【０００５】
請求項２は、請求項１に記載の伸縮脚において、固定ピン７は、径大脚部材６の直径よりも長いピン本体７ａと、このピン本体７ａの先端部に屈折自在に連結され、先端部が径小脚部材５の凹溝８に対応する形状に形成されたストッパーピン７ｂとからなるもので、ピン本体７ａを径大脚部材６のピン挿通孔９と径小脚部材５のピン挿通孔１０とに亘って挿入し、ストッパーピン７ｂをピン本体７ａに対し屈折させて、径大脚部材６の側面に添わせるようにしたことを特徴とする。
【０００６】
請求項３は、請求項２に記載の伸縮脚において、ピン本体７ａには、これを径大脚部材６のピン挿通孔９と径小脚部材５のピン挿通孔１０とに亘って挿入し、ストッパーピン７ｂをピン本体７ａに対し屈折させて径大脚部材６の側面に添わせた状態で、ピン本体７ａを挿入方向と反対側に付勢して、ストッパーピン７ｂを径大脚部材６の側面に押し付けるようするためのコイルバネ１４を嵌装してなることを特徴とする。
【０００７】
請求項４は、請求項１〜３の何れかに記載の伸縮脚において、径大脚部材６の一端部に筒状補強部材１１を外嵌固定すると共に、この筒状補強部材１１に、径大脚部材６側のピン挿通孔９と合致するピン挿通孔９を設けてなることを特徴とする。
【発明の効果】
【０００８】
上記解決手段による発明の効果を、後述する実施形態の参照符号を付して説明すると、請求項１に係る発明の伸縮脚によれば、径小脚部材５を径大脚部材６に対して伸縮させる時に、固定ピン７の先端部１３を、径大脚部材６側のピン挿通孔９から一旦凹溝８に突入させ、この凹溝８に沿ってそのままスライド案内させるようにすることにより、径小脚部材５と径大脚部材６とを互いに回転させることなく、径小脚部材５を径大脚部材６に対し所要長さ伸縮させた位置で、固定ピン７を径大脚部材６のピン挿通孔９から径小脚部材５の所要のピン挿通孔１０に簡単容易に挿通させることができ、それによって伸縮脚２の伸縮調整作業を効率良く行うことができる。
【０００９】
請求項２に係る発明によれば、ピン本体７ａを径大脚部材６のピン挿通孔９と径小脚部材５のピン挿通孔１０とに亘って挿入し、ストッパーピン７ｂをピン本体７ａに対し屈折させて径大脚部材６の側面に添わせるようにすることにより、固定ピン７の抜け出しを阻止することができる。また、ストッパーピン７ｂの先端部が径小脚部材５の凹溝８に対応する形状に形成されているから、径小脚部材５の凹溝８に沿ったスライド案内が容易となる。
【００１０】
請求項３に係る発明によれば、ピン本体７ａにコイルバネ１４を嵌装することにより、固定ピン７の抜け出しを有効に阻止することができる。
【００１１】
請求項４に係る発明によれば、径大脚部材６の一端部に筒状補強部材１１を外嵌固定することにより、径大脚部材６の一端部が変形したり、この一端部に形成されているピン挿通孔９が変形したりするのを防止できる。
【発明を実施するための最良の形態】
【００１２】
以下に本発明の好適実施形態を図面に基づいて説明すると、図１は本発明に係る伸縮脚を有する三点支持構造よりなる三脚脚立を折り畳んだ状態で示す正面図、(b) は側面図であり、図２は使用状態での同三脚脚立の側面図である。この三脚脚立は、図１の(a) に示すように、略ハの字状に開いた形状の梯子状脚体１と、この梯子状脚体１の後側に配置される棒状の伸縮脚２とを備え、梯子状本体１の上端部は天板３に固着され、棒状伸縮脚２の上端部は天板３に開閉に枢着される。そして、使用の際には、図２に示すように梯子状本体１と棒状伸縮脚２とを前後に所要角度開いた状態でチェーン等のストッパー４によって、これら梯子状本体１と棒状伸縮脚２とを保持するようになっている。
【００１３】
本発明に係る棒状伸縮脚２について図３〜図８によって説明すると、この伸縮脚２は、図４及び図７に示すように外周面の一側部に凹溝８を全長に亘って形成したアルミ押出型材からなる円筒状の径小脚部材５と、この径小脚部材５にスライド自在に外嵌されるアルミ押出型材からなる円筒状の径大脚部材６と、径小脚部材５を径大脚部材６に対し所要長さ伸縮させた位置で径大脚部材６に固定するための固定ピン７とによって構成される。尚、この実施形態では、径小脚部材５を円筒状に形成しているが、径小脚部材５は円柱状（中実状）であってもよい。
【００１４】
径大脚部材６の一端部には、図３及び図８に示すように直径方向に貫通するピン挿通孔９が設けられ、そして径小脚部材５には、図４及び図７に示すように凹溝８から直径方向に貫通するピン挿通孔１０が軸方向に一定ピッチで複数個設けられている。また径大脚部材６の一端部には図３〜図５に示すようにアルミ製の筒状補強部材１１が外嵌固定され、この筒状補強部材１１には、径大脚部材側のピン挿通孔９と合致するピン挿通孔９が設けられている。この筒状補強部材１１は割形になっている。
【００１５】
径小脚部材５は、図７の(a) 〜(c) から分かるように、円筒状に形成されていると共に外周面の一側部に断面円弧状の凹溝８が形成されている。径大脚部材６は、図６及び図８から分かるように、内周が真円で、径小脚部材５に対しスライド自在に外嵌するように形成され、この径大脚部材６の外周面は、図８の(a) ，(b) に示すように、直径方向両側部６ｏ，６ｏが夫々平坦面に形成されている。筒状補強部材１１は、径大脚部材６の外周面の形状に対応する断面形状を有する。
【００１６】
径大脚部材６の一端部に筒状補強部材１１を取り付けるには、図３の(a) ，(b) に示すように、割形の筒状補強部材１１を径大脚部材６の一端部に外嵌して密着させると共に、筒状補強部材１１のピン挿通孔９と径大脚部材６のピン挿通孔９とを合致させた位置で、割溝１１ｏに沿った部分及び上端外周部分に沿って溶接し（溶接部をＷで示す）、図３の(b) に示すように筒状補強部材１１を径大脚部材６に一体的に固着する。
【００１７】
固定ピン７は、図４〜図６及び図９に示すように、径大脚部材６の直径よりも十分に長い円柱状のピン本体７ａと、このピン本体７ａの先端部に枢支ピン１２によって屈折自在に連結され、先端部１３が径小脚部材５の凹溝８の断面形状に対応する断面円弧状に形成されたストッパーピン７ｂとからなるもので、径小脚部材５を径大脚部材６に対し伸縮させる時に、ストッパーピン７ｂの先端部１３を、図５の(a) に示すように、径大脚部材６のピン挿通孔９から一旦凹溝８内に突入させて、凹溝８沿いにスライド案内させながら、径小脚部材５の所要のピン挿通孔９に挿入し、しかしてピン本体７ａを径大脚部材６のピン挿通孔９と径小脚部材５のピン挿通孔１０とに亘って挿通させた後に、ストッパーピン７ｂをピン本体７ａに対し屈折させて、径大脚部材６の側面に添わせるようにしたものである。
【００１８】
また固定ピン７のピン本体７ａには、このピン本体７ａを径大脚部材６のピン挿通孔９と径小脚部材５のピン挿通孔１０とに亘って挿入し、ストッパーピン７ｂをピン本体７ａに対し屈折させて径大脚部材６の側面に添わせた状態でピン本体７ａを挿入方向と反対側に付勢し、ストッパーピン７ｂを径大脚部材６の側面に押し付けて、抜け止めするためのコイルバネ１４が嵌装されている。
【００１９】
図９の(a) はピン本体７ａの正面図、(b) はピン本体７ａの側面図で、この図から分かるように、ピン本体７ａの基端部７ｏはプレスで圧潰されて幅広扁平状に形成され、また先端側にストッパーピン７ｂを屈折自在に連結するための切欠溝１５が形成されている。ストッパーピン７ｂには基端側に長孔１６が形成されている。しかして、ピン本体７ａにストッパーピン７ｂを連結するには、ピン本体７ａの切欠溝１５にストッパーピン７ｂの基端部を挿入し、ピン本体７ａの先端部に形成したピン孔１７からストッパーピン７ｂの長孔１６を貫通するように枢支ピン１２を挿着すればよい。
【００２０】
またピン本体７ａに嵌装されるコイルバネ１４は、図９の(e) 及び(f) に示すように、一端部１４ａの内径がピン本体７ａの外径よりも十分大きく且つ幅広扁平状基端部７ｏの幅より小さく、他端部１４ｂの内径がピン本体７ａの外径より僅かに大きい。しかして、このコイルバネ１４は、図９の(f) に示すように、その一端部１４ａが幅広扁平状基端部７ｏ側に位置するようにピン本体７ａに嵌装しておく。
【００２１】
上記のような構成よりなる伸縮脚２の使用にあたって、径小脚部材５を径大脚部材６に伸縮自在に取り付けるには、図４に示すような状態から径小脚部材５の上端部側を径大脚部材６の下端部より挿入させた後、例えば、径小脚部材５の下端部を床面に着地させて、径大脚部材６を一方の手で保持した状態から、固定ピン７を他方の手で持って、この固定ピン７の先端部、即ちストッパーピン７ｂ先端部を、図５の(a) に示すように径大脚部材６側のピン挿通孔９から径小脚部材５の凹溝８内に突入させて、径大脚部材６を適宜上下動させることにより、図６の(a) に示すようにストッパーピン７ｂ先端部を凹溝８沿いにスライド案内させながら、径小脚部材５が径大脚部材６に対し所要長さ伸縮した位置で、ストッパーピン７ｂ先端部を径小脚部材５側の所要のピン挿通孔９に落とし込む。
【００２２】
しかして、ストッパーピン７ｂを径大脚部材６のピン挿通孔１０及び径小脚部材５のピン挿通孔１０に亘って挿通させ、更にピン本体７ａを押して、図６の(b) に示すように、ストッパーピン７ｂをピン挿通孔９，１０から突き出して、ピン本体７ａを径大脚部材６のピン挿通孔１０及び径小脚部材５のピン挿通孔１０に亘って挿通させた後、ストッパーピン７ｂをピン本体７ａに対し直角に屈折して径大脚部材６の側面に添わせるようにすると、コイルバネ１４によってピン本体７ａが挿入挿入方向と反対側に付勢され、それによりストッパーピン７ｂが径大脚部材６の側面に圧接されて、固定ピン７は、抜け止め状態にロックされ、ピン挿通孔９，１０から不測に抜け出るおそれがない。
【００２３】
これによって、径小脚部材５を径大脚部材６に対して所要長さ伸縮させた位置で径大脚部材６に固定することができる。
【００２４】
上記のように、径小脚部材５を径大脚部材６に対して伸縮させる時には、固定ピン７の先端部１３を、径大脚部材６側のピン挿通孔９から一旦凹溝８に突入させてこの凹溝８沿いにスライド案内させるようにすることによって、径小脚部材５と径大脚部材６とを互いに回転させることなく、径小脚部材５を径大脚部材６に対し所要長さ伸縮させた位置で、固定ピン７を径大脚部材６のピン挿通孔９から径小脚部材５の所要のピン挿通孔１０に簡単容易に挿通させることができ、それによって伸縮脚２の伸縮調整作業を効率良く行うことができる。この場合、ストッパーピン７ｂの先端部は、径小脚部材５の凹溝８に対応する形状に形成されているから、径小脚部材５の凹溝８に沿ってスライド案内するのが容易となる。
【００２５】
また、この伸縮脚２では、径大脚部材６の一端部に筒状補強部材１１を外嵌固着して、補強しているために、固定ピン７の頻繁な出し入れによって径大脚部材６の一端部が変形したり、ピン挿通孔９が変形したりするのを防止できる。
【００２６】
尚、固定ピン７にピン本体７ａの基端部の幅広扁平状基端部７ｏに孔１８を穿設して、この孔１８に鎖や紐等からなる索体１９（図５参照）の一端部を止着し、その他端部を径大脚部材６の所要箇所に止着しておくことによって、伸縮脚２の伸縮調整作業を一層能率良く行うことができると共に、固定ピン７の紛失を防止できる。
【００２７】
この実施形態では、固定ピン７を、ピン本体７ａと、このピン本体７ａの先端部に屈折自在に連結されたストッパーピン７ｂとから構成したが、ピン本体７ａに相当する１本のピンのみで構成してもよく、その場合には、当該ピンの先端部を径小脚部材５の凹溝８に対応する形状に形成すればよい。また、固定ピン７を、ピン本体７ａと、これに屈折自在に連結したストッパーピン７ｂとで構成し、コイルバネ１４を省略してもよい。この場合には、ピン本体７ａの一端部側に設けてある突起部２０（図６の(b) 及び図９(a) ，(b)
参照）が抜け止めとなるから、ピン本体７ａが径大脚部材６側のピン挿通孔９から抜け出ることはない。
【図面の簡単な説明】
【００２８】
【図１】本発明に係る伸縮脚を有する三点支持構造よりなる三脚脚立を折り畳んだ状態で示す正面図、(b) は側面図である。
【図２】使用状態での同三脚脚立の側面図である。
【図３】(a) は径大脚部材の一端部に筒状補強部材を取り付ける前の状態を示す斜視図、(b) は筒状補強部材を取り付けた状態の斜視図である。
【図４】径小脚部材、径大脚部材及び固定ピンを互いに切り離した状態で示す斜視図である。
【図５】(a) は伸縮脚の伸縮調整操作を行っている状態を示す斜視図、(b) は伸縮調整を終えて固定ピンで固定した状態を示す斜視図である。
【図６】(a) は図５の(a) に示す伸縮脚を、ロックピンを含む水平面に沿って断面した拡大断面図、(b) は図５の(b) に示す伸縮脚を、ロックピンを含む水平面に沿って断面した拡大断面図である。
【図７】(a) は径小脚部材の一部省略側面図、(b) は(a) のイ−イ線断面図、(c) は同径小脚部材を凹溝側から見た側面図である。
【図８】径大脚部材の一部省略側面図、(b) は(a) のロ−ロ線拡大断面図である。
【図９】(a) はピン本体の正面図、(b) はピン本体の側面図であり、(c) はストッパーピンの正面図、(d) はストッパーピンの側面図、(e) はコイルバネの側面図、(f) は径大脚部材にコイルバネを嵌装した固定ピン全体を示す斜視図である。
【符号の説明】
【００２９】
２            伸縮脚
５            伸縮脚の径小脚部材
６            伸縮脚の径大脚部材
７            伸縮脚の固定ピン
７ａ          ピン本体
７ｂ          ストッパーピン
８            径小脚部材の凹溝
９            径大脚部材のピン挿通孔
１０          径小脚部材のピン挿通孔
１１          筒状補強部材
１３          固定ピンの先端部
１４          コイルバネ
【図１】
2006241675.tif 000003
【図２】
2006241675.tif 000004
【図３】
2006241675.tif 000005
【図４】
2006241675.tif 000006
【図５】
2006241675.tif 000007
【図６】
2006241675.tif 000008
【図７】
2006241675.tif 000009
【図８】
2006241675.tif 000010
【図９】
2006241675.tif 000011